Podtech/llm-jp-corpus-v4-ja_patent huggingface dataset:
【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
モバイルデバイスに関連付けられたアプリケーションを管理するための方法であって、
前記モバイルデバイスに関連付けられたカメラから見たオブジェクトの画像を取得するステップと、
前記画像から抽出された前記オブジェクトの属性に基づいて、前記画像内の前記オブジェクトを識別するためのオブジェクト識別手順を開始するステップと、
1つまたは複数のアプリケーションに関連付けられたオブジェクトとアプリケーションの間のマッピングを含む、前記モバイルデバイスに格納されたローカルデータベースを用いて、前記オブジェクト識別手順に基づいて、前記オブジェクトに関連付けられたアプリケーションを識別するステップと、
前記アプリケーションを前記モバイルデバイスで自動的に起動するステップと
を含み、
前記アプリケーションは拡張現実アプリケーションであり、
起動時に、前記拡張現実アプリケーションは、拡張現実コンテンツをディスプレイにより提供された実世界視野にオーバレイするように構成された、
方法。
【請求項２】
前記オブジェクト識別手順が、前記画像から前記属性を抽出するステップと、前記画像から抽出された前記属性を前記モバイルデバイスに記憶されたローカルデータベース内のオブジェクトに関連付けられた属性と比較して、前記画像内の前記オブジェクトを識別するステップとを含む、請求項1に記載の方法。
【請求項３】
前記ローカルデータベース内のオブジェクトに関連付けられた前記属性が探索ツリーに編成され、前記画像から抽出された前記属性を前記ローカルデータベース内に含まれたオブジェクトに関連付けられた前記属性と比較する前記ステップが、前記画像から抽出された前記属性および前記探索ツリーに基づいて、前記画像内の前記オブジェクトを識別するステップを含む、請求項2に記載の方法。
【請求項４】
前記画像から抽出された前記属性を前記ローカルデータベース内のオブジェクトに関連付けられた前記属性と比較することによって、前記オブジェクトが識別されていないことに応答して、前記オブジェクトの前記画像または前記画像から抽出された前記属性を遠隔サーバ上に配置された視覚探索エンジンに送るステップと、
前記遠隔サーバ上に配置された前記視覚探索エンジンから前記オブジェクトの識別を受信するステップと
をさらに含む、請求項2に記載の方法。
【請求項５】
前記オブジェクト識別手順を開始する前記ステップが、
前記オブジェクトの前記画像または前記画像から抽出された前記属性を遠隔サーバ上に配置された視覚探索エンジンに送るステップを含み、
前記オブジェクトに関連付けられた前記アプリケーションを識別する前記ステップが、前記視覚探索エンジンから前記オブジェクトに関連付けられた1つまたは複数のアプリケーションを識別する情報を受信するステップを含む、請求項1に記載の方法。
【請求項６】
前記アプリケーションを自動的に起動する前記ステップが、前記アプリケーションが前記モバイルデバイスにインストールされているかどうかを決定するステップと、
前記アプリケーションが前記モバイルデバイスにインストールされている場合、前記アプリケーションを起動するステップと、
前記アプリケーションが前記モバイルデバイスにインストールされていない場合、前記アプリケーションを獲得するためのインターフェースを表示して、前記アプリケーションが獲得された場合、前記インターフェースに対する入力に基づいて、前記アプリケーションを起動するステップと
を含む、請求項1に記載の方法。
【請求項７】
前記オブジェクトに関連付けられた複数の候補アプリケーションを識別するステップと、
前記複数の候補アプリケーションから前記アプリケーションを選択するステップと
をさらに含む、請求項1に記載の方法。
【請求項８】
前記複数の候補アプリケーションから前記アプリケーションを選択する前記ステップが、ユーザ選択に基づいて前記アプリケーションを選択するステップを含む、請求項7に記載の方法。
【請求項９】
前記複数の候補アプリケーションのリスティングを表示するステップと、
前記表示されたリスティングからの前記ユーザ選択を提供するようにユーザにプロンプトを出すステップと
をさらに含む、請求項8に記載の方法。
【請求項１０】
前記複数の候補アプリケーションの前記リスティングを表示する前記ステップが、推定された関連性に従って、前記リスティングの前記複数の候補アプリケーションを順序付けするステップを含む、請求項9に記載の方法。
【請求項１１】
前記複数の候補アプリケーションから前記アプリケーションを選択する前記ステップが、ユーザプロファイルに基づいて前記アプリケーションを選択するステップを含む、請求項7に記載の方法。
【請求項１２】
ユーザ入力、または前記モバイルデバイスの観測された使用パターンのうちの少なくとも1つに基づいて、前記ユーザプロファイルを構築するステップ
をさらに含む、請求項11に記載の方法。
【請求項１３】
モバイルデバイスに関連付けられたアプリケーションを管理するための装置であって、
前記モバイルデバイスに関連付けられたカメラから見たオブジェクトの画像を取得するための手段と、
前記画像から抽出された前記オブジェクトの属性に基づいて、前記画像内の前記オブジェクトを識別するためのオブジェクト識別手順を開始するための手段と、
1つまたは複数のアプリケーションに関連付けられたオブジェクトとアプリケーションの間のマッピングを含む、前記モバイルデバイスに格納されたローカルデータベースを用いて、前記オブジェクト識別手順に基づいて、前記オブジェクトに関連付けられたアプリケーションを識別するための手段と、
前記アプリケーションを前記モバイルデバイスで自動的に起動するための手段と
を含み、
前記アプリケーションは拡張現実アプリケーションであり、
起動時に、前記拡張現実アプリケーションは、拡張現実コンテンツをディスプレイにより提供された実世界視野にオーバレイするように構成された、
装置。
【請求項１４】
モバイルデバイスに関連付けられたアプリケーションを管理するためのコンピュータ可読命令を記憶した非一時的コンピュータ可読記憶媒体であって、コンピュータに、請求項1乃至12の何れか1項に記載の方法を行わせるように構成された命令を含む非一時的コンピュータ可読媒体。
【手続補正書】
【提出日】平成29年5月23日(2017.5.23)
【手続補正１】
【補正対象書類名】明細書
【補正対象項目名】０００７
【補正方法】変更
【補正の内容】
【０００７】
ドイツ国特許出願公開第４２  ０８  ５０４  Ａ１号明細書（特許文献２）からは、２〜８％の希土類金属を含有し、その際、該希土類金属がサマリウムからなるマグネシウム合金が知られている。
【手続補正２】
【補正対象書類名】明細書
【補正対象項目名】００２０
【補正方法】変更
【補正の内容】
【００２０】
【特許文献１】ドイツ国特許第８０６  ０５５号明細書
【特許文献２】ドイツ国特許出願公開第４２  ０８  ５０４  Ａ１号明細書
【特許文献３】ドイツ国特許出願公開第１  ４３３  １０８  Ａ１号明細書
【特許文献４】ドイツ国特許出願第１９９  １５  ２７６  Ａ１号明細書
【特許文献５】ドイツ国特許出願公開第１９６  ３８  ７６４  Ａ１号明細書
【特許文献６】ドイツ国特許第６７９  １５６号明細書
【特許文献７】ドイツ国特許第６９７  ０４  ８０１  Ｔ２号明細書
【特許文献８】ドイツ国特許出願公開第４４  ４６  ８９８  Ａ１号明細書
【特許文献９】米国特許第６  ５４４  ３５７号明細書
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
アノードを有するように構成され、かつアルカリ金属一硫化物、アルカリ金属多硫化物、またはこれらの混合物と、元素状硫黄を部分的に溶解するアノード液溶媒とを含むアノード溶液を含有するアノード液室であって、アノード溶液注入口とアノード溶液排出口とをさらに備える、アノード液室と、
カソードを有するように構成され、かつ溶融アルカリ金属を含むカソード液を含有するカソード液室であって、カソード液排出口をさらに備える、カソード液室と、
アルカリイオンを選択的に輸送するように構成され、アニオン、前記アノード液溶媒、および溶解した硫黄に対して実質的に不透過性である、アルカリイオン導電性膜と、
前記アノードおよび前記カソードに電気的に結合される電位源であって、
前記アノード液室中の前記アルカリ金属一硫化物または多硫化物が酸化されて、液体の元素状硫黄およびアルカリ金属イオンが形成され、
前記アルカリ金属イオンが前記アノード液室から前記アルカリイオン導電性膜を通過して前記カソード液室に入り、
前記カソード液室中の前記アルカリ金属イオンが還元されて、液体の元素状アルカリ金属が形成される
ように構成される、電位源と、
前記液体の元素状硫黄が第２の液相を形成し、前記アノード溶液から分離する元素状硫黄沈殿区画と、
前記アノード溶液排出口よりも低い位置に設けられた前記電解セルから前記液体の元素状硫黄を除去するための硫黄排出口と
を備える、アルカリ金属一硫化物またはアルカリ金属多硫化物を酸化するための電解セル。
【請求項２】
前記アルカリイオン導電性膜が、アルカリ金属導電性セラミックまたはガラスセラミックを一部に含む、請求項１に記載の電解セル。
【請求項３】
前記アルカリイオン導電性膜が、固体ＭＳＩＣＯＮ（Metal Super Ion CONducting）材料を含み、ＭがＮａまたはＬｉである、請求項１に記載の電解セル。
【請求項４】
前記アノード液溶媒が、Ｎ，Ｎ−ジメチルアニリン、キノリン、テトラヒドロフラン、２−メチルテトラヒドロフラン、ベンゼン、シクロヘキサン、フルオロベンゼン、トリフルオロベンゼン、トルエン、キシレン、テトラエチレングリコールジメチルエーテル（テトラグリム）、ジグリム、イソプロパノール、エチルプロピオナール、ジメチルカーボネート、ジメトキシエーテル、ジメチルプロピレン尿素、ホルムアミド、メチルホルムアミド、ジメチルホルムアミド、アセトアミド、メチルアセトアミド、ジメチルアセトアミド、トリエチルアミン、ジエチルアセトアミド、エタノールおよびエチルアセテート、プロピレンカーボネート、エチレンカーボネート、ならびにジエチルカーボネートから選択される１つまたは複数の溶媒を含む、請求項１に記載の電解セル。
【請求項５】
前記アノード液溶媒が、約６０〜１００体積％の極性溶媒と、０〜４０体積％の非極性溶媒とを含む、請求項１に記載の電解セル。
【請求項６】
第１の請求項１に記載の電解セルと、第２の請求項１に記載の電解セルとを含む、複数の連結した電解セルであって、第２の電解セルのアノード溶液注入口が、第１の電解セルのアノード溶液排出口に接続している、電解セル。
【請求項７】
第１の請求項１に記載の電解セルと、第２の請求項１に記載の電解セルと、第３の請求項１に記載の電解セルと、第４の請求項１に記載の電解セルとを含む、複数の連結した電解セルであって、第４の電解セルのアノード溶液注入口が、第３の電解セルのアノード溶液排出口に接続しており、第３の電解セルのアノード溶液注入口が、第２の電解セルのアノード溶液排出口に接続しており、第２の電解セルのアノード溶液注入口が、第１の電解セルのアノード溶液排出口に接続している、電解セル。
【誤訳訂正書】
【提出日】平成29年2月14日(2017.2.14)
【誤訳訂正１】
【訂正対象書類名】特許請求の範囲
【訂正対象項目名】請求項６
【訂正方法】変更
【訂正の内容】
【請求項６】
前記外壁及び内壁は、セラミック、金属、複合材、またはそれらの組み合わせを含む、請求項１〜５のいずれか１項に記載の微粒子濾過装置。
【誤訳訂正２】
【訂正対象書類名】特許請求の範囲
【訂正対象項目名】請求項９
【訂正方法】変更
【訂正の内容】
【請求項９】
前記微粒子物質焼却装置は、前記微粒子物質の燃焼を促進するために、触媒材料を含む、請求項７に記載の微粒子濾過装置。
【誤訳訂正３】
【訂正対象書類名】明細書
【訂正対象項目名】００１４
【訂正方法】変更
【訂正の内容】
【００１４】
１つ以上の実施形態によれば、外壁及び内壁は、セラミック、金属、複合材、またはそれらの組み合わせを含む。
【誤訳訂正４】
【訂正対象書類名】明細書
【訂正対象項目名】００１５
【訂正方法】変更
【訂正の内容】
【００１５】
１つ以上の実施形態において、微粒子物質焼却装置は、微粒子物質を燃焼させるための十分な温度を生成する、加熱機構を備える。微粒子物質焼却装置は、微粒子物質の燃焼を促進するために、触媒材料を含むことができる。
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
ガラスの全重量のパーセントで表される含有量で、以下：
ＳｉＯ２    ５５〜７８％
Ａｌ２Ｏ３    ０〜１８％
Ｂ２Ｏ３    ０〜１８％
Ｎａ２Ｏ    ０〜２０％
ＣａＯ    ０〜１５％
ＭｇＯ    ０〜１０％
Ｋ２Ｏ    ０〜１０％
ＢａＯ    ０〜５％
全鉄（Ｆｅ２Ｏ３の形態で表される）    ０．００２〜０．０４％
を含む組成を有するガラスシートにおいて、前記組成が、前記ガラスの全重量のパーセントで表される０．０００１％＜Ｃｒ２Ｏ３＜０．００２％などの含有量のクロムを含むこと、及び前記組成のＦｅ２＋（ＦｅＯの形態で表される）含有量が、２０ｐｐｍ未満であることを特徴とする、ガラスシート。
【請求項２】
前記組成物が、０．０５≦Ｃｒ２Ｏ３／Ｆｅ２Ｏ３≦１などのクロム／全鉄比を有することを特徴とする、請求項１に記載のガラスシート。
【請求項３】
前記組成物が、０．１＜Ｃｒ２Ｏ３／Ｆｅ２Ｏ３≦１などのクロム／全鉄比を有することを特徴とする、請求項１または２に記載のガラスシート。
【請求項４】
前記組成物が、０．０００５％≦Ｃｒ２Ｏ３＜０．００２％などのクロム含有量を有することを特徴とする、請求項１〜３のいずれか一項に記載のガラスシート。
【請求項５】
前記組成物が、０．００１％＜Ｃｒ２Ｏ３＜０．００２％などのクロム含有量を有することを特徴とする、請求項１〜４のいずれか一項に記載のガラスシート。
【請求項６】
前記組成物が、前記ガラスの全重量に関して、０．００２〜０．０２重量％の全鉄（Ｆｅ２Ｏ３の形態で表される）含有量を有することを特徴とする、請求項１〜５のいずれか一項に記載のガラスシート。
【請求項７】
前記ガラスの全重量のパーセントで表される含有量で、以下：
ＳｉＯ２    ６０〜７５％
Ａｌ２Ｏ３    ０〜４％
Ｂ２Ｏ３    ０〜４％
ＣａＯ    １〜１５％
ＭｇＯ    ０〜１０％
Ｎａ２Ｏ    ５〜２０％
Ｋ２Ｏ    ０〜１０％
ＢａＯ    ０〜５％
全鉄（Ｆｅ２Ｏ３の形態で表される）    ０．００２〜０．０４％
前記ガラスの全重量のパーセントで表される０．０００１％＜Ｃｒ２Ｏ３＜０．００２％などの含有量のクロム
を含む組成を有することを特徴とする、請求項１〜６のいずれか一項に記載のガラスシート。
【請求項８】
波長１０５０ｎｍで５ｍ−１以下の吸収係数を有することを特徴とする、請求項１〜７のいずれか一項に記載のガラスシート。
【請求項９】
波長１０５０ｎｍで３．５ｍ−１以下の吸収係数を有することを特徴とする、請求項１〜８のいずれか一項に記載のガラスシート。
【請求項１０】
波長１０５０ｎｍで２ｍ−１以下の吸収係数を有することを特徴とする、請求項１〜９のいずれか一項に記載のガラスシート。
【請求項１１】
少なくとも１つの耐指紋性層でコーティングされるか、または指紋が示されることを低下／防止するために処理されていることを特徴とする、請求項１〜１０のいずれか一項に記載のガラスシート。
【請求項１２】
請求項１〜１１のいずれか一項に記載の少なくとも１つのガラスシートを含み、前記ガラスシートがタッチ感応性表面を画定する、スクリーンまたはパネルまたはパッド。
【請求項１３】
ＦＴＩＲまたはＰＳＤ光技術を使用する、請求項１２に記載のスクリーンまたはパネルまたはパッド。
【請求項１４】
ガラスの全重量のパーセントで表される含有量で、以下：
ＳｉＯ２    ５５〜７８％
Ａｌ２Ｏ３    ０〜１８％
Ｂ２Ｏ３    ０〜１８％
Ｎａ２Ｏ    ０〜２０％
ＣａＯ    ０〜１５％
ＭｇＯ    ０〜１０％
Ｋ２Ｏ    ０〜１０％
ＢａＯ    ０〜５％
全鉄（Ｆｅ２Ｏ３の形態で表される）    ０．００２〜０．０４％
０．０００１％＜Ｃｒ２Ｏ３＜０．００２％などの含有量のクロム
を含む組成を有するガラスシートであって、前記組成のＦｅ２＋（ＦｅＯの形態で表される）含有量が、２０ｐｐｍ未満であるガラスシートの、本質的に前記シートの内部を伝播する赤外線を使用するデバイスにおける使用。
【請求項１５】
前記赤外線の前記伝播が全反射によって生じることを特徴とする、請求項１４に記載の使用。
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
接着分子、およびホワイトニング粒子または再石灰化粒子を含む組成物であって、該接着分子が、複数の3,4-ジヒドロキシフェニル-L-アラニン(DOPA)残基を含みかつ歯、歯成分、もしくは無機歯科材料と相互作用または結合する能力を有する、組成物。
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
第一の中間品と第二の中間品とを備えている段ボール板または積層板であって、それぞれの中間品は二つの主要面と一つの長手方向とを含んでおり、当該第一の中間品および第二の中間品は接着剤で相互に接着されており、
前記第一の中間品が、所定の主軸方向と所定のスコアのピッチとを有する複数のスコアを備えており、且つ前記第二の中間品が、所定の主軸方向と所定のスコアのピッチとを有する複数のスコアを備えているか、若しくは所定の主軸方向と所定のフルートのピッチとを有する複数のフルートを備えているかの少なくとも一方であり、前記第一の中間品のスコアの前記主軸方向が、前記第二の中間品のスコアまたはフルートの前記主軸の一つと一致していないことを特徴とする板。
【請求項２】
前記の二つの中間品が互いに接着されているとき、前記第一の中間品のスコアの少なくとも一部は、前記第二の中間品側に向かって延びていることを特徴とする請求項１記載の板。
【請求項３】
前記の二つの中間品が互いに接着されているとき、前記第一の中間品のスコアの少なくとも一部は、前記第二の中間品から離れるように延びていることを特徴とする請求項１記載の板。
【請求項４】
前記第一の中間品のスコアの少なくとも一部の前記主軸の特質が連続的であると特徴付けられる請求項１記載の板。
【請求項５】
前記第一の中間品のスコアの少なくとも一部の前記主軸の特質が不連続であると特徴付けられる請求項１記載の板。
【請求項６】
前記第一の中間品のスコアの少なくとも一部の前記主軸の特質が、直線状であり且つ前記主軸の方向と一致すると特徴付けられる請求項１記載の板。
【請求項７】
前記第一の中間品のスコアの少なくとも一部の前記主軸の特質が、曲線状または直線状の繰り返し様式の一つであると特徴付けられる請求項１記載の板。
【請求項８】
前記第一の中間品のスコアの少なくとも一部の前記主軸の特質が、ほぼ一定である厚みを有していると特徴付けられる請求項１記載の板。
【請求項９】
前記第一の中間品のスコアの少なくとも一部の前記主軸の特質が、ほぼ可変の厚みを有していると特徴付けられる請求項１記載の板。
【請求項１０】
前記第一の中間品のスコアの少なくとも一部が、一定のピッチを有していることを特徴とする請求項１記載の板。
【請求項１１】
前記第一の中間品のスコアの少なくとも一部が、可変のピッチを有していることを特徴とする請求項１記載の板。
【請求項１２】
前記第一の中間品のスコアの少なくとも一部が、所定の角度を有するピッチであることを特徴とする請求項１記載の板。
【請求項１３】
前記第一の中間品のスコアの少なくとも一部が、他の第一の中間品のスコアと比較して実質的に同種であることを特徴とする請求項１から１２のいずれかに記載の板。
【請求項１４】
前記第一の中間品のスコアの少なくとも一部が、他の第一の中間品のスコアと比較して実質的に異種であることを特徴とする請求項１から１２のいずれかに記載の板。
【請求項１５】
前記第一の中間品のスコアの前記主軸方向は、前記第二の中間品のスコアまたはフルートの主軸方向の一つに対して垂直であることを特徴とする請求項１から１４のいずれかに記載の板。
【請求項１６】
主軸方向と所定のスコアのピッチとを有する複数のスコアを含む第三の中間品をさらに備えていることを特徴とする請求項１から１４のいずれかに記載の板。
【請求項１７】
前記第一の中間品のスコアの前記主軸が、前記第三の中間品のスコアの前記主軸と一致していることを特徴とする請求項１６記載の板。
【請求項１８】
前記全ての主軸の正味の変位量が、実質的に０であることを特徴とする請求項１６記載の板。
【請求項１９】
前記第二の中間品は、所定の主軸方向と所定のスコアのピッチとを有する複数のスコアと、所定の主軸方向と所定のフルートのピッチとを有する複数のフルートとを備えており、前記第二の中間品のスコアの前記主軸方向が、前記第二の中間品のフルートの前記主軸方向と一致しないことを特徴とする請求項１から１７のいずれかに記載の板。
【請求項２０】
フルート加工された部材と単一のライナ面とを有している片面段ボールをさらに備えており、前記フルート加工された部材が前記第一の中間品に選択的に接着されているか、あるいは前記単一のライナ面が前記第二の中間品に選択的に接着されていることを特徴とする請求項１から１９のいずれかに記載の板。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
キャリアタンパク質に連結基でコンジュゲートされたヘマグルチニン（ＨＡ）融合開始領域（ＦＩＲ）ペプチド又はその変異体を含む免疫原性ペプチドコンジュゲートであって、前記ＨＡ  ＦＩＲペプチドが、５０個以下のアミノ酸残基から成り、また配列番号１又は該配列番号１と少なくとも５０％の配列同一性を共有し且つ配列番号１とは、Ｖ１Ｉ、Ｖ１Ｌ、Ｖ１Ａ、Ｖ１Ｇ、Ｖ１Ｔ、Ｖ１Ｓ、Ｖ１Ｍ、Ｅ２Ｄ、Ｅ２Ｋ、Ｅ２Ｒ、Ｄ３Ｅ、Ｔ４Ｇ、Ｔ４Ｓ、Ｔ４Ｑ、Ｔ４Ａ、Ｋ５Ｆ、Ｋ５Ｍ、Ｋ５Ｉ、Ｋ５Ｖ、Ｋ５Ｌ、Ｋ５Ａ、Ｉ６Ｌ、Ｉ６Ｖ、Ｉ６Ａ、Ｉ６Ｔ、Ｉ６Ｓ、Ｉ６Ｑ、Ｉ６Ｎ、Ｄ７Ｅ、Ｌ８Ｉ、Ｌ８Ｖ、Ｌ８Ａ、Ｗ９Ｙ、Ｓ１０Ｔ、Ｓ１０Ｇ、Ｓ１０Ａ、Ｓ１０Ｍ及びＥ１４Ｋから成る群から選択される１つ以上のアミノ酸置換で異なる配列番号１の変異体のアミノ酸配列を含むインフルエンザヘマグルチニン２タンパク質のセグメントを含むことを特徴とする、免疫原性ペプチドコンジュゲート。
【請求項２】
前記インフルエンザヘマグルチニン２タンパク質のセグメントが、Ｈ１、Ｈ２、Ｈ３、Ｈ４、Ｈ５、Ｈ６、Ｈ７、Ｈ８、Ｈ９、Ｈ１０、Ｈ１１、Ｈ１２、Ｈ１３、Ｈ１４、Ｈ１５、Ｈ１６及びＨ１７から成る群から選択されるインフルエンザＡサブタイプのヘマグルチニン２タンパク質からの２５個までの追加のアミノ酸残基を含み、前記追加の残基が、配列番号１又はその変異体に、選択したインフルエンザＡサブタイプのヘマグルチニン２タンパク質のアミノ酸配列において隣接している、請求項１に記載の免疫原性ペプチドコンジュゲート。
【請求項３】
前記ＨＡ  ＦＩＲペプチドが、インフルエンザＡヘマグルチニン２タンパク質由来ではない１つ以上のペプチド配列を含む、請求項１又は２に記載の免疫原性ペプチドコンジュゲート。
【請求項４】
前記ヘマグルチニンＦＩＲペプチドが、配列番号１又は該配列番号１と少なくとも５０％の配列同一性を共有し且つ配列番号１とはＶ１Ｉ、Ｖ１Ｌ、Ｖ１Ａ、Ｖ１Ｇ、Ｖ１Ｔ、Ｖ１Ｓ、Ｖ１Ｍ、Ｅ２Ｄ、Ｅ２Ｋ、Ｅ２Ｒ、Ｄ３Ｅ、Ｔ４Ｇ、Ｔ４Ｓ、Ｔ４Ｑ、Ｔ４Ａ、Ｋ５Ｆ、Ｋ５Ｍ、Ｋ５Ｉ、Ｋ５Ｖ、Ｋ５Ｌ、Ｋ５Ａ、Ｉ６Ｌ、Ｉ６Ｖ、Ｉ６Ａ、Ｉ６Ｔ、Ｉ６Ｓ、Ｉ６Ｑ、Ｉ６Ｎ、Ｄ７Ｅ、Ｌ８Ｉ、Ｌ８Ｖ、Ｌ８Ａ、Ｗ９Ｙ、Ｓ１０Ｔ、Ｓ１０Ｇ、Ｓ１０Ａ、Ｓ１０Ｍ及びＥ１４Ｋから成る群から選択される１つ以上のアミノ酸置換で異なる配列番号１の変異体から成るアミノ酸配列を有する、請求項１〜３のいずれかに記載の免疫原性ペプチドコンジュゲート。
【請求項５】
前記キャリアタンパク質が、髄膜炎菌の外膜タンパク質複合体（ＯＭＰＣ）、破傷風トキソイドタンパク質、ジフテリア毒素誘導体ＣＲＭ197、ウシ血清アルブミン（ＢＳＡ）、カチオン化ＢＳＡ、コンコレパス・コンコレパスヘモシアニン（ＣＣＨ）、Ｂ型肝炎ウイルス（ＨＢＶ）表面抗原タンパク質（ＨＢｓＡｇ）、ＨＢＶコア抗原タンパク質、キーホール・リンペットヘモシアニン（ＫＬＨ）、ロタウイルスカプシドタンパク質、ウシパピローマウイルス（ＢＰＶ）Ｌ１タンパク質、ヒトパピローマウイルス（ＨＰＶ）Ｌ１タンパク質、オボアルブミン及び全長インフルエンザヘマグルチニンタンパク質から成る群から選択される、請求項１〜４のいずれかに記載の免疫原性ペプチドコンジュゲート。
【請求項６】
前記キャリアタンパク質が、全長インフルエンザヘマグルチニンタンパク質である、請求項１〜５のいずれかに記載の免疫原性ペプチドコンジュゲート。
【請求項７】
前記全長インフルエンザヘマグルチニンタンパク質が、Ｈ１、Ｈ２、Ｈ３、Ｈ４、Ｈ５、Ｈ６、Ｈ７、Ｈ８、Ｈ９、Ｈ１０、Ｈ１１、Ｈ１２、Ｈ１３、Ｈ１４、Ｈ１５、Ｈ１６及びＨ１７から成る群から選択されるインフルエンザＡサブタイプ由来のヘマグルチニンである、請求項６に記載の免疫原性ペプチドコンジュゲート。
【請求項８】
前記全長インフルエンザヘマグルチニンタンパク質が、インフルエンザＢヘマグルチニンタンパク質である、請求項６に記載の免疫原性ペプチドコンジュゲート。
【請求項９】
前記連結基が、スルフィド結合を含む、請求項１〜８のいずれかに記載の免疫原性ペプチドコンジュゲート。
【請求項１０】
前記連結基が、実施形態１〜６のいずれかに記載のペプチドコンジュゲートを含み、前記連結基が、式Ｉ、
【化１】
2016519061.tif 000001
の４−（Ｎ−スクシンイミドメチルシクロヘキサン−１−カルボニル基であり、式ＩのＣｙｓ残基が、そのスルフヒドリル基を介してスクシンイミド部分に結合され、またペプチド結合によりＦＩＲペプチドのＮ末端に結合され、任意にＣｙｓとＦＩＲペプチドとの間に１〜５個の残基の追加のスペーサペプチドを有し、式Ｉのシクロヘキシル部分上の１−カルボニル基が、アミド結合により前記キャリアタンパク質上の一級アミンに結合している、請求項１〜８のいずれかに記載の免疫原性ペプチドコンジュゲート。
【請求項１１】
前記連結基により前記キャリアタンパク質にコンジュゲートされた配列番号１から成るアミノ酸配列を有するヘマグルチニン２ＦＩＲペプチドを含む、請求項１〜１０のいずれかに記載の免疫原性ペプチドコンジュゲート。
【請求項１２】
請求項１〜１１のいずれかに記載の免疫原性ペプチドコンジュゲートを医薬的に許容可能なキャリア中に含む、インフルエンザ感染症を治療又は予防するための医薬組成物。
【請求項１３】
請求項１〜１１のいずれかに記載の免疫原性ペプチドコンジュゲートの投与後に宿主生物内で産生された抗体からの相補性決定領域（ＣＤＲ）を含み、インフルエンザウイルスヘマグルチニンタンパク質のＦＩＲ領域に特異的に結合する、インフルエンザウイルスヘマグルチニンタンパク質のＦＩＲ領域に特異的に結合可能な治療用モノクローナル抗体。
【請求項１４】
ヒト、ヒト化又はキメラモノクローナル抗体である、請求項１３に記載の治療用モノクローナル抗体。
【請求項１５】
インフルエンザ感染症を治療又は予防するための医薬組成物であって、請求項１３又は１４に記載の治療用モノクローナル抗体を含むことを特徴とする医薬組成物。
【請求項１６】
被験者においてインフルエンザウイルスに対する特異的治療用抗体応答を誘導するための医薬組成物であって、請求項１〜１１のいずれかに記載の免疫原性ペプチドコンジュゲートを含むことを特徴とする医薬組成物。
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
Ｈ因子（ＦＨ）を含む、関節リウマチを治療するための組成物であって、Ｈ因子（ＦＨ）がＳＥＱ  ＩＤ  ＮＯ：１を含む、前記組成物。
【請求項２】
前記ＦＨが静脈内投与される、請求項１に記載の組成物。
【請求項３】
前記ＦＨが関節内注射によって投与される、請求項１または２に記載の組成物。
【請求項４】
前記注射が、手、足、頸椎、肩、および膝から選択される構成要素の関節への注射である、請求項３に記載の組成物。
【請求項５】
前記投与が関節炎の低減をもたらす、請求項２〜４のいずれか一項に記載の組成物。
【請求項６】
前記投与が初期の炎症応答を阻害する、請求項２〜５のいずれか一項に記載の組成物。
【請求項７】
前記投与が炎症応答の解消をさらに促進する、請求項２〜６のいずれか一項に記載の組成物。
【請求項８】
前記投与が外骨腫の低減をもたらす、請求項２〜７のいずれか一項に記載の組成物。
【請求項９】
前記投与が、ＦＨを受容していない対象と比較して、軟骨の損傷の低減をもたらす、請求項２〜８のいずれか一項に記載の組成物。
【手続補正２】
【補正対象書類名】明細書
【補正対象項目名】００２３
【補正方法】変更
【補正の内容】
【００２３】
またさらなる実施形態では、および上記のいずれかに従って、ＦＨを投与することは、ＦＨを受容していない対象と比較して、対象における軟骨の損傷の低減をもたらす。
[本発明1001]
対象における関節リウマチを治療する方法であって、Ｈ因子（ＦＨ）を含む組成物を前記対象に投与することを含む、前記方法。
[本発明1002]
前記ＦＨが血漿由来または組み換えＦＨである、本発明1001の方法。
[本発明1003]
前記ＦＨが保護的変異体である、本発明1001〜1002のいずれかの方法。
[本発明1004]
前記ＦＨがＳＥＱ  ＩＤ  ＮＯ：1を含む、本発明1001〜1003のいずれかの方法。
[本発明1005]
前記ＦＨが前記対象に静脈内投与される、本発明1001〜1004のいずれかの方法。
[本発明1006]
前記ＦＨが関節内注射によって前記対象に投与される、本発明1001〜1004のいずれかの方法。
[本発明1007]
前記注射が、手、足、頸椎、肩、および膝から選択される構成要素の関節への注射である、本発明1006の方法。
[本発明1008]
前記投与が前記対象における関節炎の低減をもたらす、本発明1001〜1007のいずれかの方法。
[本発明1009]
前記投与が初期の炎症応答を阻害する、本発明1001〜1008のいずれかの方法。
[本発明1010]
前記投与が炎症応答の解消をさらに促進する、本発明1001〜1009のいずれかの方法。
[本発明1011]
前記投与が前記対象における外骨腫の低減をもたらす、本発明1001〜1010のいずれかの方法。
[本発明1012]
前記投与が、ＦＨを受容していない対象と比較して、前記対象における軟骨の損傷の低減をもたらす、本発明1001〜1011のいずれかの方法。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
単離アルギニンデイミナーゼ（ＡＤＩ）と、薬学的に許容される担体とを含む治療用組成物であって、
前記単離ＡＤＩが、配列番号８、２、６または１４のいずれか１つに記載されたアミノ酸配列を含むか、または、配列番号８、２、６または１４のいずれか１つと少なくとも９０％の配列同一性を示し、
前記単離ＡＤＩが、患者の抗ＡＤＩ−ＰＥＧ２０抗体との低減された交差反応性を有する、治療用組成物。
【請求項２】
前記単離ＡＤＩが、少なくとも１つのペグ化部位を除去するように修飾されている、請求項１に記載の治療用組成物。
【請求項３】
少なくとも１個のリジン残基が、アミノ酸置換により修飾されている、請求項１または２に記載の治療用組成物。
【請求項４】
ａ）少なくとも５個のリジン残基が、アミノ酸置換により修飾されているか、
ｂ）少なくとも１０個のリジン残基が、アミノ酸置換により修飾されているか、
ｃ）少なくとも１５個のリジン残基が、アミノ酸置換により修飾されているか、または
ｄ）少なくとも２０個のリジン残基が、アミノ酸置換により修飾されている、
請求項３に記載の治療用組成物。
【請求項５】
前記ＡＤＩが、リンカーを介してＰＥＧ分子に共有結合している、請求項１〜４のいずれか一項に記載の治療用組成物。
【請求項６】
ａ）前記ＡＤＩが、１個を超えるＰＥＧ分子に共有結合しているか、
ｂ）前記ＡＤＩが、約１〜約１０個のＰＥＧ分子に共有結合しているか、または
ｃ）前記ＡＤＩが、約２〜約８個のＰＥＧ分子に共有結合している、
請求項５に記載の治療用組成物。
【請求項７】
前記ＰＥＧ分子が、直鎖または分岐鎖ＰＥＧ分子である、請求項５に記載の治療用組成物。
【請求項８】
前記ＰＥＧが約１，０００〜約４０，０００、例えば、約１０，０００〜約３０，０００の総重量平均分子量を有する、請求項５に記載の治療用組成物。
【請求項９】
前記リンカーが、スクシニル基、アミド基、イミド基、カルバメート基、エステル基、エポキシ基、カルボキシル基、ヒドロキシル基、炭水化物、チロシン基、システイン基、ヒスチジン基、メチレン基、またはこれらの任意の組み合わせである、請求項５に記載の治療用組成物。
【請求項１０】
前記スクシニル基の源が、スクシンイミジルスクシネートである、請求項９に記載の治療用組成物。
【請求項１１】
化学療法剤を更に含む、請求項１〜１０のいずれか一項に記載の治療用組成物。
【請求項１２】
前記化学療法剤が、ドセタキセル、カルボプラチン、シクロホスファミド、ゲムシタビン、シスプラチン、ソラフェニブ、スニチニブ、及びエベロリムスからなる群から選択される、請求項１１に記載の治療用組成物。
【請求項１３】
癌の治療、その症状の寛解、またはその進行の阻害のための、請求項１〜１２のいずれか一項に記載の治療用組成物であって、前記組成物はその必要性のある患者に投与されて、それによって前記癌が治療される、前記癌の症状が寛解される、または前記癌の進行が阻害されることを特徴とする、治療用組成物。
【請求項１４】
癌を治療する、その症状を寛解させる、またはその進行を阻害する必要性のある前記患者が、抗ＡＤＩ−ＰＥＧ２０抗体を有することが決定されている、請求項１３に記載の治療用組成物。
【請求項１５】
前記癌が、肝細胞癌、黒色腫、転移性黒色腫、膵癌、前立腺癌、小細胞肺癌、中皮腫、リンパ球性白血病、慢性骨髄性白血病、リンパ腫、肝細胞腫、肉腫、白血病、急性骨髄性白血病、再発性の急性骨髄性白血病、乳癌、卵巣癌、結腸直腸癌、胃癌（ｇａｓｔｒｉｃ  ｃａｎｃｅｒ）、神経膠腫、多形性神経膠芽腫、非小細胞肺癌（ＮＳＣＬＣ）、腎臓癌、膀胱癌、子宮癌、食道癌、脳癌、頭頸部癌、子宮頸癌、精巣癌、及び胃癌（ｓｔｏｍａｃｈ  ｃａｎｃｅｒ）からなる群から選択される、請求項１３または１４に記載の治療用組成物。
【請求項１６】
癌の治療、その症状の寛解、またはその進行の阻害のための組成物であって、前記組成物はＡＤＩ−ＰＥＧ２０を含み、前記組成物はその必要性のある患者に投与されることを特徴とし、一定期間後に、請求項１〜１２のいずれか一項に記載の治療用組成物が前記患者に投与されて、それによって前記癌が治療される、前記癌の症状が寛解される、または前記癌の進行が阻害されることをさらに特徴とする、組成物。
【請求項１７】
前記一定期間が、前記患者における所定レベルの抗ＡＤＩ−ＰＥＧ２０抗体を検出することによって決定され、前記治療用組成物が、前記所定レベルの前記抗ＡＤＩ−ＰＥＧ２０抗体の検出後に投与されることを特徴とする、請求項１６に記載の組成物。
【請求項１８】
前記一定期間が、前記患者におけるＡＤＩ活性を検出することによって決定され、前記治療用組成物が、所定または低減レベルのＡＤＩ活性の検出後に投与されることを特徴とする、請求項１６に記載の組成物。
【請求項１９】
癌を治療する、その症状を寛解させる、またはその進行を阻害するための医薬品の製造における、請求項１〜１２のいずれか一項に記載の治療用組成物の使用。
【請求項２０】
癌を治療する、その症状を寛解させる、またはその進行を阻害するための、請求項１〜１２のいずれか一項に記載の治療用組成物。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
プラスミンまたはその誘導体を含む、治療剤の対象の眼への送達を増強するための薬学的組成物であって、該治療剤と組み合わせて使用される、薬学的組成物。
【請求項２】
プラスミンまたはその誘導体が、ミニプラスミンまたはマイクロプラスミン（オクリプラスミン）である、請求項1記載の薬学的組成物。
【請求項３】
治療剤が、核酸、低分子、抗体、またはペプチドから選択される、請求項1記載の薬学的組成物。
【請求項４】
核酸が、核酸発現ベクター、プラスミド、またはsiRNAである、請求項3記載の薬学的組成物。
【請求項５】
核酸が、核酸発現ベクターである、請求項3記載の薬学的組成物。
【請求項６】
核酸発現ベクターが、導入遺伝子を含むウイルスベクターである、請求項5記載の薬学的組成物。
【請求項７】
導入遺伝子がオプシンである、請求項6記載の薬学的組成物。
【請求項８】
オプシンが、チャネルロドプシン、ハロロドプシン、メラノプシン、松果体オプシン、バクテリオロドプシン、およびプロテオロドプシン、またはその機能的バリアントからなる群より選択される、請求項7記載の薬学的組成物。
【請求項９】
前記導入遺伝子が、細胞特異的プロモーターに機能的に連結されている、請求項6〜8のいずれか一項記載の薬学的組成物。
【請求項１０】
治療剤が、ナノ粒子、ポリマー、またはリポソームの中にカプセル化されている、請求項1〜9のいずれか一項記載の薬学的組成物。
【請求項１１】
治療剤が、ラニビズマブ抗体FAB（Lucentis）、VEGF Trap融合分子（VEGF Trap-Eye）、macugenペグ化ポリペプチド（ペガプタニブ）、およびベバシズマブ（Avastin）からなる群より選択される、請求項1〜10のいずれか一項記載の薬学的組成物。
【請求項１２】
対象が眼の疾患または障害を患っている、請求項1記載の薬学的組成物。
【請求項１３】
治療剤との同時または逐次送達に適している、請求項1記載の薬学的組成物。
【請求項１４】
治療剤が網膜細胞への送達に適している、請求項1記載の薬学的組成物。
【請求項１５】
網膜細胞が、網膜神経節細胞、網膜双極細胞、網膜水平細胞、無軸索細胞、光受容細胞、ミュラーグリア細胞、または網膜色素上皮細胞である、請求項14記載の薬学的組成物。
【請求項１６】
眼の硝子体への送達に適している、請求項1記載の薬学的組成物。
【請求項１７】
プラスミンまたはその誘導体を含む、対象において光感受性を増大させるか、または視力を改善もしくは回復させるための薬学的組成物であって、眼の硝子体への送達に適しており、オプシンをコードする核酸発現ベクターと組み合わせて使用される、薬学的組成物。
【請求項１８】
前記オプシンが、チャネルロドプシン、ハロロドプシン、メラノプシン、松果体オプシン、バクテリオロドプシン、およびプロテオロドプシン、またはその機能的バリアントからなる群より選択される、請求項17記載の薬学的組成物。
【請求項１９】
対象が眼の疾患または障害を有する、請求項17または18記載の薬学的組成物。
【請求項２０】
前記オプシンが、細胞特異的プロモーターに機能的に連結されている、請求項17記載の薬学的組成物。
【請求項２１】
核酸発現ベクターとの同時または逐次送達に適している、請求項17記載の薬学的組成物。
【請求項２２】
核酸発現ベクターが網膜細胞への送達に適している、請求項17記載の薬学的組成物。
【請求項２３】
網膜細胞が、網膜神経節細胞、網膜双極細胞、網膜水平細胞、無軸索細胞、光受容細胞、ミュラーグリア細胞、または網膜色素上皮細胞である、請求項22記載の薬学的組成物。
【請求項２４】
前記核酸発現ベクターが、ウイルスベクターである、請求項17記載の薬学的組成物。
【手続補正２】
【補正対象書類名】明細書
【補正対象項目名】００１８
【補正方法】変更
【補正の内容】
【００１８】
[本発明1001]
治療剤の対象の眼への送達を増強する方法であって、プラスミンまたはその誘導体および該治療剤を該眼に投与する段階を含む、方法。
[本発明1002]
プラスミンまたはその誘導体が、ミニプラスミンまたはマイクロプラスミン（オクリプラスミン）である、本発明1001の方法。
[本発明1003]
治療剤が、核酸、低分子、抗体、またはペプチドから選択される、本発明1001の方法。
[本発明1004]
核酸が、核酸発現ベクター、プラスミド、またはsiRNAである、本発明1003の方法。
[本発明1005]
核酸発現ベクターが、導入遺伝子を含むウイルスベクターである、本発明1004の方法。
[本発明1006]
導入遺伝子がオプシンである、本発明1005の方法。
[本発明1007]
オプシンが、チャネルロドプシン、ハロロドプシン、メラノプシン、松果体オプシン、バクテリオロドプシン、およびプロテオロドプシン、またはその機能的バリアントからなる群より選択される、本発明1006の方法。
[本発明1008]
前記導入遺伝子が、細胞特異的プロモーターに機能的に連結されている、本発明1004〜1007のいずれかの方法。
[本発明1009]
治療剤が、ナノ粒子、ポリマー、またはリポソームの中にカプセル化されている、前記本発明のいずれかの方法。
[本発明1010]
治療剤が、ラニビズマブ抗体FAB（Lucentis）、VEGF Trap融合分子（VEGF Trap-Eye）、macugenペグ化ポリペプチド（ペガプタニブ）、およびベバシズマブ（Avastin）からなる群より選択される、前記本発明のいずれかの方法。
[本発明1011]
対象が眼の疾患または障害を患っている、本発明1001の方法。
[本発明1012]
プラスミンまたはその誘導体および治療剤が、同時にまたは逐次的に送達される、本発明1001の方法。
[本発明1013]
治療剤が網膜細胞に送達される、本発明1001の方法。
[本発明1014]
網膜細胞が、網膜神経節細胞、網膜双極細胞、網膜水平細胞、無軸索細胞、光受容細胞、ミュラーグリア細胞、または網膜色素上皮細胞である、本発明1013の方法。
[本発明1015]
投与が眼の硝子体に対してである、本発明1001の方法。
[本発明1016]
対象において光感受性を増大させるか、または視力を改善もしくは回復させる方法であって、プラスミンまたはその誘導体およびオプシンをコードするウイルスベクターを眼の硝子体に投与する段階を含む、方法。
[本発明1017]
前記オプシンが、チャネルロドプシン、ハロロドプシン、メラノプシン、松果体オプシン、バクテリオロドプシン、およびプロテオロドプシン、またはその機能的バリアントからなる群より選択される、本発明1016の方法。
[本発明1018]
対象が眼の疾患または障害を有する、本発明1016〜1017のいずれかの方法。
本発明の他の特性および利点が、以下の詳細な説明および特許請求の範囲から明らかであると考えられ、かつそれらによって包含される。
【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
ミセル内に殺生物剤を有する殺生物製剤であって、該ミセルが
−殺生物剤溶解部分と水溶性部分とを有するブロック共重合体と、
−第四級アンモニア安定化化合物と
を含むことを特徴とする殺生物製剤。
【請求項２】
前記殺生物剤がさらに膜透過化剤を含むことを特徴とする、請求項１に記載の殺生物製剤。
【請求項３】
前記殺生物剤の水に対する溶解度が低いことを特徴とする、請求項１又は２に記載の殺生物製剤
【請求項４】
前記殺生物剤が非酸化型殺生物剤であることを特徴とする、前記請求項のいずれか一項に記載の殺生物製剤。
【請求項５】
前記殺生物剤が、グルタルアルデヒド、2,2-ジブロモ-3-ニトリロプロピオンアミド（DBNPA）、2-ブロモ-2-ニトロプロパン-1,3-ジオール、5-クロロ-2-メチル-4-イソチアゾリン-3-オン（CMIT）、2-メチル-4-イソチアゾリン-3-オン（MIT）、CMITとMITとの混合物、1,2-ジブロモ-2,4-ジシアノブタン、ビス（トリクロロメチル）スルホン、2-ブロモ-2-ニトロスチレン、4,5-ジクロロ-1,2-ジチオール-3-オン、2-n-オクチル-4-イソチアゾリン-3-オン、1,2-ベンズイソチアゾリン-3-オン、オルト-フタルアルデヒド、グアニジン類、ビグアニジン類、ピリチオン類、カルバメート類、3-ヨードプロピニル-N-ブチルカルバメート、ホスホニウム塩、3,5-ジメチル-1,3,5-チアジアジナン-2-チオン、2-（チオシアノメチルチオ）ベンゾチアゾール、メチレンビスチオシアネート（MBT）、及びこれらの組み合わせから選択されることを特徴とする、前記請求項のいずれか一項に記載の殺生物製剤。
【請求項６】
前記ホスホニウム塩が、硫酸テトラキスヒドロキシメチルホスホニウム（THPS）であることを特徴とする、請求項５に記載の殺生物製剤。
【請求項７】
前記殺生物剤が、グルタルアルデヒド、2,2-ジブロモ-3-ニトリロプロピオンアミド（DBNPA）、2-ブロモ-2-ニトロプロパン-1,3-ジオール、5-クロロ-2-メチル-4-イソチアゾリン-3-オン（CMIT）、2-メチル-4-イソチアゾリン-3-オン（MIT）、及びCMITとMITとの混合物から選択されることを特徴とする、請求項１〜４のいずれか一項に記載の殺生物製剤。
【請求項８】
前記ブロック共重合体が、ポロキサマであることを特徴とする、前記請求項のいずれか一項に記載の殺生物製剤。
【請求項９】
前記ポロキサマが、ポリ（エチレンオキシド）−ポリ（プロピレンオキシド）（PEO-PPO）ブロック共重合体であることを特徴とする、請求項８に記載の殺生物製剤。
【請求項１０】
前記第四級アンモニウム安定化化合物が、塩化n-アルキルジメチルベンジルアンモニウム、塩化アルケニルジメチルエチルアンモニウム、塩化ジデシルジメチルアンモニウム（DDAC）、及び臭化ジメチルジオクタデシルアンモニウム（DDAB）から選択されることを特徴とする、前記請求項のいずれか一項に記載の殺生物製剤。
【請求項１１】
膜透過化剤がカチオン性高分子電解質を含むことを特徴とする、前記請求項のいずれか一項に記載の殺生物製剤。
【請求項１２】
前記カチオン性高分子電解質が、ポリ（塩化ジアリルジメチルアンモニウム）（PDADMAC）、ポリエチレンイミン（PEI）、ポリエーテルアミン、及びポリアミンから選択されることを特徴とする、請求項１１に記載の殺生物製剤。
【請求項１３】
膜透過化剤がキレート剤を含むことを特徴とする、前記請求項のいずれか一項に記載の殺生物製剤。
【請求項１４】
前記殺生物製剤が約10〜25％（w／w）の前記殺生物剤を含有していることを特徴とする、前記請求項のいずれか一項に記載の殺生物製剤。
【請求項１５】
前記殺生物製剤が15〜50％（w／w）の前記ブロック共重合体を含有していることを特徴とする、前記請求項のいずれか一項に記載の殺生物製剤。
【請求項１６】
前記殺生物製剤が30〜50％（w／w）の前記ブロック共重合体を含有していることを特徴とする、請求項１５に記載の殺生物製剤。
【請求項１７】
前記殺生物製剤が約５〜30％（w／w）の前記第四級アンモニウム安定化化合物を含有していることを特徴とする、前記請求項のいずれか一項に記載の殺生物製剤。
【請求項１８】
前記殺生物製剤が、膜透過化剤を含む第一成分と、前記殺生物剤、前記ブロック共重合体及び前記第四級アンモニウム安定化化合物を含む第二成分とを有する二成分製剤として提供されることを特徴とする、請求項２〜１７のいずれか一項に記載の殺生物剤組成物。
【請求項１９】
前記請求項のいずれか一項に記載の前記殺生物製剤を用意し、該殺生物製剤を水性環境に投与することを特徴とする、水性環境において微生物を除去すること及び／又は妨げることによって、バイオフィルムの形成を抑制する方法。
【請求項２０】
前記水性環境が工業水システムであることを特徴とする、請求項１９に記載の方法。
【請求項２１】
前記工業水システムが、製紙システム、水冷却システム、工業原水システム、飲料水配水システム、飲料水殺菌システム、油生産若しくは油回収システム、燃料貯蔵システム、金属加工システム、熱交換装置、反応炉、液体を貯蔵して扱うのに使用される機器、ボイラーとそれに関連する水蒸気発生ユニット、ラジエータ、フラッシュ蒸発ユニット、冷蔵ユニット、逆浸透装置、ガス洗浄装置、高炉、砂糖蒸発ユニット（sugar evaporating unit）、火力発電所、地熱ユニット、原子炉冷却ユニット、水処理ユニット、プール再循環ユニット、採鉱サーキット（mining circuit）、閉ループ加熱ユニット、加工液、作動液、及び冷却液から選択されることを特徴とする、請求項２０に記載の方法。
【請求項２２】
前記水冷却システムが、冷却塔、開ループ及び閉ループ式冷却ユニットであることを特徴とする、請求項２１に記載の方法。
【請求項２３】
前記油生産若しくは油回収システムが、油田水システム若しくは掘削泥水であることを特徴とする、請求項２１に記載の方法。
【請求項２４】
前記加工液、作動液、及び冷却液が、掘削、穿孔、粉砕、拡孔、ドローイング、ブローチング、ターニング、切削、縫製、研削、ねじ切り、シェーピング、スピニング及びローリングに使用されることを特徴とする、請求項２１に記載の方法。
【請求項２５】
前記工業水システムが、パルプ、紙又は厚紙機械の循環水、及び工業原水から選択されることを特徴とする、請求項２０に記載の方法。
【請求項２６】
前記殺生物製剤が0.3〜50 ppmの濃度になるように投与されることを特徴とする、請求項１９〜２５のいずれか一項に記載の方法。
【請求項２７】
前記殺生物製剤が、１〜５ppmの濃度になるように投与されることを特徴とする、請求項２６に記載の方法。
【手続補正書】
【提出日】平成29年2月1日(2017.2.1)
【手続補正１】
【補正対象書類名】明細書
【補正対象項目名】０３９９
【補正方法】変更
【補正の内容】
【０３９９】
セカンダリー目的：
・朝または晩に与えられるＨＯＥ９０１−Ｕ３００とランタスとを、連続的グルコースモニタリング（ＣＧＭ）データ：日周グルコース曝露；中央値曲線における変化割合によって測定するときの日周グルコース安定性；四分位範囲（ＩＱＲ）によって測定される日周グルコース変動性；グルコースのプロフィールにおける平均および変化、に関して比較すること
・ＨＯＥ９０１−Ｕ３００とランタスとを、糖化ヘモグロビンＡ１ｃ（ＨｂＡ１ｃ）、自己測定血漿グルコース（空腹時血漿グルコース、試験薬の注射前、７ポイントプロフィール）に関して、比較すること
・ＡＤＡ基準による定義にしたがって分類された低血糖エピソードの発生率および頻度を、いずれも症候、血漿グルコース≦７０ｍｇ／ｄＬによる確認およびＣＧＭ検出によって比較すること。
・ＨＯＥ９０１−Ｕ３００の安全性および耐容性を評価すること。